(57)【要約】【課題】新設，既設を問わず折板屋根上の自由な位置に、一対（二個）の固定具を用いて強固に固定可能な折板屋根用ソーラーパネル取付装置を提供すること。【解決手段】固定具２と、固定具２により折板屋根１上に固定する支持金具３とを具備し、支持金具３は、一対の固定具２を挿通可能な一対の前記挿通孔４を有するベース体５と、一対の挿通孔４を覆い隠すようにベース体５上に配設され上部にソーラーパネル６を支持可能な支持部７を有するパネル支持体８とから成り、パネル支持体８をベース体５に対しパネル支持体８をスライド移動させると挿通孔４が露出するか、若しくはパネル支持体８をベース体５に対し起動回動移動させると挿通孔４が露出するように構成されている折板屋根用ソーラーパネル取付装置。【選択図】図１
2019090225.tif 000002
【特許請求の範囲】
【請求項１】
折板屋根に固定可能な固定具と、この固定具により折板屋根上に固定される支持金具とを具備する折板屋根用ソーラーパネル取付装置であって、前記固定具は、芯ボルトの上部が上方に突出している折板屋根固定用の一対のルーフボルトが採用され、前記支持金具は、折板屋根に固定された一対の前記ルーフボルトの芯ボルトを挿通可能な一対の挿通孔が設けられているベース体と、この挿通孔を覆い隠すようにしてベース体上に配設され上部にソーラーパネルを支持可能な支持部が設けられているパネル支持体とから成ると共に、パネル支持体がベース体に対しスライド移動可能に設けられていて、前記挿通孔に前記ルーフボルトの芯ボルトの上部を挿通させた状態でこのパネル支持体をスライド移動させると、芯ボルトの上部がベース体上に露出するように構成されているか、若しくはパネル支持体がベース体に対し起伏回動移動可能に設けられていて、前記挿通孔に前記ルーフボルトの芯ボルトの上部を挿通させた状態でこのパネル支持体を起動回動移動させると、芯ボルトの上部がベース体上に露出するように構成されており、このパネル支持体のスライド移動若しくは起動回動移動により挿通孔と共にベース体上に露出する芯ボルトの上部に、固定ナットを螺着し締め付けることで、ルーフボルトに前記支持金具を固定し得るように構成されていることを特徴とする折板屋根用ソーラーパネル取付装置。
【請求項２】
前記挿通孔は、長孔形状に形成されていて、この挿通孔が、前記ルーフボルトの前記折板屋根に対する固定位置誤差を吸収しつつ芯ボルトを挿通可能に構成されていることを特徴とする請求項１記載の折板屋根用ソーラーパネル取付装置。
【請求項３】
折板屋根に固定可能な固定具と、この固定具により折板屋根上に固定される支持金具とを具備し、折板屋根の軒側端部に固定される折板屋根用ソーラーパネル取付装置であって、前記支持金具は、一対の前記固定具を挿通可能な一対の前記挿通孔が軒側配設部位と棟側配設部位とに設けられているベース体と、この一対の挿通孔を覆い隠すようにしてベース体上に配設され上部にソーラーパネルを支持可能な支持部が設けられているパネル支持体とから成ると共に、パネル支持体が、ベース体に対し折板屋根の棟方向にのみスライド移動可能且つ起伏回動移動可能に設けられていて、このパネル支持体を折板屋根の棟方向にスライド移動させると、ベース体の軒側配設部位の前記挿通孔が露出して、この露出する挿通孔に挿通した前記固定具でベース体を折板屋根に固定し得るように構成されていると共に、パネル支持体を起動回動移動させると、ベース体の棟側配設部位の前記挿通孔が露出して、この露出する挿通孔に挿通した前記固定具でベース体を折板屋根に固定し得るように構成されていることを特徴とする折板屋根用ソーラーパネル取付装置。
【請求項４】
折板屋根に固定可能な固定具と、この固定具により折板屋根上に固定される支持金具とを具備する折板屋根用ソーラーパネル取付装置であって、前記支持金具は、一対の前記固定具を挿通可能な一対の前記挿通孔が軒側配設部位と棟側配設部位とに設けられているベース体と、この一対の挿通孔を覆い隠すようにしてベース体上に配設され上部にソーラーパネルを支持可能な支持部が設けられているパネル支持体とから成ると共に、パネル支持体が、ベース体に対し折板屋根の軒方向と棟方向とにスライド移動可能に設けられていて、このパネル支持体を折板屋根の棟方向にスライド移動させると、ベース体の軒側配設部位の前記挿通孔が露出して、この露出する挿通孔に挿通した前記固定具でベース体を折板屋根に固定し得るように構成されていると共に、パネル支持体を折板屋根の軒方向にスライド移動させると、ベース体の棟側配設部位の前記挿通孔が露出して、この露出する挿通孔に挿通した前記固定具でベース体を折板屋根に固定し得るように構成され、前記ベース体の二箇所に長孔形状のガイド孔が設けられ、このガイド孔と連通させる長孔形状の合わせ孔が前記パネル支持体の二箇所に設けられ、この各ガイド孔と各合わせ孔とを連通させた二箇所の連通孔部に夫々ガイドボルトが貫通配設されて、このガイドボルトに対しガイド孔と合わせ孔とが移動可能な範囲内でベース体に対しパネル支持体が折板屋根の軒方向と棟方向とにスライド移動可能に構成されていると共に、この二箇所のガイドボルトの締付若しくは二箇所のガイドボルトに螺着した締付ナットの締付によりベース体に対しパネル支持体がスライド移動不能となるように構成されていることを特徴とする折板屋根用ソーラーパネル取付装置。
【請求項５】
前記ベース体は、底板部の両端に立上がり板部が連設する断面コ字状体に構成されていると共に、この底板部に一対の前記挿通孔が設けられ、前記パネル支持体は、天板部の両端に垂下板部が連設する断面コ字状体に構成されていると共に、前記天板部の上面が前記支持部として構成され、前記ベース体の立上がり板部に長孔形状のガイド孔が貫通形成され、このガイド孔と連通させる長孔形状の合わせ孔が前記パネル支持体の垂下板部に貫通形成され、このガイド孔と合わせ孔とを連通させた連通孔部にガイドボルトが貫通配設されて、このガイドボルトに対しガイド孔と合わせ孔とが移動可能な範囲内でベース体に対しパネル支持体がスライド移動可能に構成されていると共に、ガイドボルトを支点にベース体に対しパネル支持体が起伏回動可能に構成され、このガイドボルトの締付若しくはガイドボルトに螺着した締付ナットの締付によりベース体に対しパネル支持体がスライド移動不能且つ起伏回動移動不能となるように構成されていることを特徴とする請求項１〜４のいずれか１項に記載の折板屋根用ソーラーパネル取付装置。
【発明の詳細な説明】
【技術分野】
【０００１】
本発明は、重ね式折板屋根上にソーラーパネルを取付けるために使用される折板屋根用ソーラーパネル取付装置に関するものである。
【背景技術】
【０００２】
重ね式折板屋根上にソーラーパネルを取付けるための取付装置としては、従来、特許第５６９１４７９号（特許文献１）がある。
【０００３】
この特許文献１を簡単に説明すると、重ね式折板屋根の山部に突出する剣先ボルトに断面凹型の下部分割体がナット止めされ、この下部分割体に断面逆凹型の上部分割体が外嵌され、上部分割体と下部分割体の隣接する左右側壁がボルトで連結されたソーラーパネルの支持金具であり、折板屋根上に縦横に間隔を置いて固定され、上部分割体の天板に突設したボルトに架台を介してソーラーパネルを固定するか、若しくは直接ソーラーパネルを固定し得るように構成されている。
【先行技術文献】
【特許文献】
【０００４】
【特許文献１】特許第５６９１４７９号公報
【発明の概要】
【発明が解決しようとする課題】
【０００５】
上記特許文献１は、屋根上の固定位置が剣先ボルトのある位置に限られるため、ソーラーパネルの設置条件には制約がある。
【０００６】
また、既存の折板屋根が設置対象の場合、剣先ボルトが経年劣化により折れていたり酷く錆びていたりすると、設置できない（ナット止めできない）こともあった。
【０００７】
本発明は、この点、ルーフボルトなどの固定具を用いて、新設にも既設にも折板屋根上の自由な位置に固定できて様々なソーラーパネルの設置レイアウトに対応可能であると共に、一対（二個）の固定具により折板屋根上に極めて強固に固定可能となる実用性に優れた折板屋根用ソーラーパネル取付装置を提供するものである。
【課題を解決するための手段】
【０００８】
添付図面を参照して本発明の要旨を説明する。
【０００９】
折板屋根１に固定可能な固定具２と、この固定具２により折板屋根１上に固定される支持金具３とを具備する折板屋根用ソーラーパネル取付装置であって、前記固定具２は、芯ボルト９の上部が上方に突出している折板屋根１固定用の一対のルーフボルト10が採用され、前記支持金具３は、折板屋根１に固定された一対の前記ルーフボルト10の芯ボルト９を挿通可能な一対の挿通孔４が設けられているベース体５と、この挿通孔４を覆い隠すようにしてベース体５上に配設され上部にソーラーパネル６を支持可能な支持部７が設けられているパネル支持体８とから成ると共に、パネル支持体８がベース体５に対しスライド移動可能に設けられていて、前記挿通孔４に前記ルーフボルト10の芯ボルト９の上部を挿通させた状態でこのパネル支持体８をスライド移動させると、芯ボルト９の上部がベース体５上に露出するように構成されているか、若しくはパネル支持体８がベース体５に対し起伏回動移動可能に設けられていて、前記挿通孔４に前記ルーフボルト10の芯ボルト９の上部を挿通させた状態でこのパネル支持体８を起動回動移動させると、芯ボルト９の上部がベース体５上に露出するように構成されており、このパネル支持体８のスライド移動若しくは起動回動移動により挿通孔４と共にベース体５上に露出する芯ボルト９の上部に、固定ナット11を螺着し締め付けることで、ルーフボルト10に前記支持金具３を固定し得るように構成されていることを特徴とする折板屋根用ソーラーパネル取付装置に係るものである。
【００１０】
また、前記挿通孔４は、長孔形状に形成されていて、この挿通孔４が、前記ルーフボルト10の前記折板屋根１に対する固定位置誤差を吸収しつつ芯ボルト９を挿通可能に構成されていることを特徴とする請求項１記載の折板屋根用ソーラーパネル取付装置に係るものである。
【００１１】
また、折板屋根１に固定可能な固定具２と、この固定具２により折板屋根１上に固定される支持金具３とを具備し、折板屋根１の軒側端部に固定される折板屋根用ソーラーパネル取付装置であって、前記支持金具３は、一対の前記固定具２を挿通可能な一対の前記挿通孔４が軒側配設部位と棟側配設部位とに設けられているベース体５と、この一対の挿通孔４を覆い隠すようにしてベース体５上に配設され上部にソーラーパネル６を支持可能な支持部７が設けられているパネル支持体８とから成ると共に、パネル支持体８が、ベース体５に対し折板屋根１の棟方向にのみスライド移動可能且つ起伏回動移動可能に設けられていて、このパネル支持体８を折板屋根１の棟方向にスライド移動させると、ベース体５の軒側配設部位の前記挿通孔４が露出して、この露出する挿通孔４に挿通した前記固定具２でベース体５を折板屋根１に固定し得るように構成されていると共に、パネル支持体８を起動回動移動させると、ベース体５の棟側配設部位の前記挿通孔４が露出して、この露出する挿通孔４に挿通した前記固定具２でベース体５を折板屋根１に固定し得るように構成されていることを特徴とする折板屋根用ソーラーパネル取付装置に係るものである。
【００１２】
また、折板屋根１に固定可能な固定具２と、この固定具２により折板屋根１上に固定される支持金具３とを具備する折板屋根用ソーラーパネル取付装置であって、前記支持金具３は、一対の前記固定具２を挿通可能な一対の前記挿通孔４が軒側配設部位と棟側配設部位とに設けられているベース体５と、この一対の挿通孔４を覆い隠すようにしてベース体５上に配設され上部にソーラーパネル６を支持可能な支持部７が設けられているパネル支持体８とから成ると共に、パネル支持体８が、ベース体５に対し折板屋根１の軒方向と棟方向とにスライド移動可能に設けられていて、このパネル支持体８を折板屋根１の棟方向にスライド移動させると、ベース体５の軒側配設部位の前記挿通孔４が露出して、この露出する挿通孔４に挿通した前記固定具２でベース体５を折板屋根１に固定し得るように構成されていると共に、パネル支持体８を折板屋根１の軒方向にスライド移動させると、ベース体５の棟側配設部位の前記挿通孔４が露出して、この露出する挿通孔４に挿通した前記固定具２でベース体５を折板屋根１に固定し得るように構成され、前記ベース体５の二箇所に長孔形状のガイド孔12が設けられ、このガイド孔12と連通させる長孔形状の合わせ孔13が前記パネル支持体８の二箇所に設けられ、この各ガイド孔12と各合わせ孔13とを連通させた二箇所の連通孔部に夫々ガイドボルト14が貫通配設されて、このガイドボルト14に対しガイド孔12と合わせ孔13とが移動可能な範囲内でベース体５に対しパネル支持体８が折板屋根１の軒方向と棟方向とにスライド移動可能に構成されていると共に、この二箇所のガイドボルト14の締付若しくは二箇所のガイドボルト14に螺着した締付ナット19の締付によりベース体５に対しパネル支持体８がスライド移動不能となるように構成されていることを特徴とする折板屋根用ソーラーパネル取付装置に係るものである。
【００１３】
また、前記ベース体５は、底板部15の両端に立上がり板部16が連設する断面コ字状体に構成されていると共に、この底板部15に一対の前記挿通孔４が設けられ、前記パネル支持体８は、天板部17の両端に垂下板部18が連設する断面コ字状体に構成されていると共に、前記天板部17の上面が前記支持部７として構成され、前記ベース体５の立上がり板部16に長孔形状のガイド孔12が貫通形成され、このガイド孔12と連通させる長孔形状の合わせ孔13が前記パネル支持体８の垂下板部18に貫通形成され、このガイド孔12と合わせ孔13とを連通させた連通孔部にガイドボルト14が貫通配設されて、このガイドボルト14に対しガイド孔12と合わせ孔13とが移動可能な範囲内でベース体５に対しパネル支持体８がスライド移動可能に構成されていると共に、ガイドボルト14を支点にベース体５に対しパネル支持体８が起伏回動可能に構成され、このガイドボルト14の締付若しくはガイドボルト14に螺着した締付ナット19の締付によりベース体５に対しパネル支持体８がスライド移動不能且つ起伏回動移動不能となるように構成されていることを特徴とする請求項１〜４のいずれか１項に記載の折板屋根用ソーラーパネル取付装置に係るものである。
【発明の効果】
【００１４】
請求項１記載の発明は上述のように構成したから、支持金具のパネル支持体をスライド移動させるか若しくは起伏回動移動させることにより、一対（二個）のルーフボルトを用いて折板屋根上に強固に固定でき、新設，既設を問わず折板屋根に容易に固定できると共に、折板屋根の自由な位置に固定可能であるので、様々なソーラーパネルの設置レイアウトに対応でき、しかも、元々止水構造（パッキン）を具備するルーフボルトが固定具として採用されているので、折板屋根のルーフボルト固定箇所への止水対策が不要となり、その上、ルーフボルトは、折板屋根上にあっても外観上違和感のないものであるため、ソーラーパネルを折板屋根上から撤去したい場合には、ルーフボルトを残してソーラーパネルと支持金具を撤去するだけで良く、撤去後の孔埋め加工や止水対策は基本的に不要であり、パッキン等の劣化が大きく止水対策を要する場合でも簡単な止水施工で足りることとなるなど、極めて実用性に優れた折板屋根用ソーラーパネル取付装置となる。
【００１５】
また、請求項２記載の発明においては、折板屋根に固定するルーフボルトの固定位置に多少の誤差があっても、このルーフボルトの芯ボルトの上部を容易に挿通孔に挿通してルーフボルトにベース体（支持金具）を固定可能となる一層実用性に優れた構成の折板屋根用ソーラーパネル取付装置となる。
【００１６】
また、請求項３記載の発明は上述のように構成したから、支持金具のパネル支持体をスライド移動させると共に起伏回動移動させることにより、二個の固定具を用いて折板屋根上に強固に固定でき、新設，既設を問わず折板屋根に容易に固定可能であると共に、折板屋根の自由な位置に固定可能であるので、様々なソーラーパネルの設置レイアウトに対応でき、しかも、パネル支持体がベース体に対し折板屋根の棟方向にしかスライド移動しないため、ソーラーパネルがパネル支持体と共に軒方向へ必要以上に移動してしまうことなく、折板屋根の軒側端部でソーラーパネルを安定的に取付け可能となるなど、極めて実用性に優れた折板屋根用ソーラーパネル取付装置となる。
【００１７】
また、請求項４記載の発明は上述のように構成したから、支持金具のパネル支持体を折板屋根の棟方向と軒方向とにスライド移動させることにより、二個の固定具を用いて折板屋根上に強固に固定でき、新設，既設を問わず折板屋根に容易に固定可能であると共に、折板屋根の自由な位置に固定可能であるので、様々なソーラーパネルの設置レイアウトに対応でき、しかも本発明は、パネル支持体が折板屋根の棟方向と軒方向の両方向にスライド移動する構成でありながら、二箇所のガイドボルト若しくは二箇所の締付ナットの締付によりパネル支持体をベース体に対して強固なスライド移動不能状態とできるので、ソーラーパネルがパネル支持体と共に軒方向や棟方向へ必要以上に移動してしまうことなく、ソーラーパネルを安定的に取付け可能となるなど、極めて実用性に優れた折板屋根用ソーラーパネル取付装置となる。
【００１８】
また、請求項５記載の発明においては、パネル支持体がベース体に対しスライド移動可能且つ起伏回動移動可能であると共に、ガイドボルト若しくは締付ナットの簡単な締付操作によりパネル支持体をベース体に対しスライド移動不能且つ起伏回動移動不能状態にできる支持金具を、簡易構成にして容易に設計実現可能となる一層実用性に優れた構成の折板屋根用ソーラーパネル取付装置となる。
【図面の簡単な説明】
【００１９】
【図１】実施例１を示す斜視図である。
【図２】実施例１の支持金具の分解斜視図である。
【図３】実施例１の支持金具を示す作動説明側面図である。
【図４】実施例１のルーフボルトを折板屋根へ固定しようとする様子並びにルーフボルトの折板屋根への固定状態を示す説明斜視図である。
【図５】図４に続いて、ルーフボルトの芯ボルト上部をベース体の挿通孔に挿通してルーフボルト上に支持金具を配設した状態を示す説明斜視図である。
【図６】図５に続いて、支持金具のパネル支持体を棟方向にスライド移動させて、軒側のルーフボルトの芯ボルト上部に固定ナットを螺着しようとする状態を示す説明斜視図である。
【図７】図６に続いて、パネル支持体を起動回動移動させて、棟側のルーフボルトの芯ボルト上部に固定ナットを螺着しようとする状態を示す説明斜視図である。
【図８】図７に続いて、パネル支持体を元に戻し、支持部上にソーラーパネルの端部を支持して押え込み金具で取付固定した状態を示す説明側面図である。
【図９】実施例２の支持金具の分解斜視図である。
【図１０】実施例２の、折板屋根に固定された一対のルーフボルトの芯ボルト上部をベース体の挿通孔に挿通してルーフボルト上に支持金具を配設した状態を示す説明斜視図である。
【図１１】図１０に続いて、支持金具のパネル支持体を棟方向にスライド移動させて、軒側のルーフボルトの芯ボルト上部に固定ナットを螺着しようとする状態を示す説明斜視図である。
【図１２】図１１に続いて、支持金具のパネル支持体を軒方向にスライド移動させて、棟側のルーフボルトの芯ボルト上部に固定ナットを螺着しようとする状態を示す説明斜視図である。
【図１３】図１２に続いて、パネル支持体を元に戻し、支持部上に二枚のソーラーパネルの端部を支持して押え込み金具で取付固定した状態を示す説明側面図である。
【図１４】実施例３を示す、折板屋根に固定しようとする状態の説明斜視図である。
【発明を実施するための形態】
【００２０】
好適と考える本発明の実施形態を、図面に基づいて本発明の作用を示して簡単に説明する。
【００２１】
・請求項１記載の発明
先ず、折板屋根１に、固定具２として採用された一対のルーフボルト10を、支持金具３のベース体５に設けられている一対の挿通孔４の位置に対応させた配置で固定する。
【００２２】
次いで、この折板屋根１に固定された一対のルーフボルト10の芯ボルト９の上部を、ベース体５の一対の挿通孔４に挿通してルーフボルト10の上方にベース体５（支持金具３）を配設し、この一対の挿通孔４を覆い隠すようにしてベース体５上に配設されているパネル支持体８をスライド移動させるか若しくは起動回動移動させると、挿通孔４と共にこの挿通孔４からベース体５上にルーフボルト10の芯ボルト９上部が露出し、この露出する芯ボルト９の上部に固定ナット11を螺着して締め付けることで、ルーフボルト10に前記ベース体５を固定できる（ルーフボルト10を介して折板屋根１上に支持金具３を固定できる。）。
【００２３】
従って、本発明の折板屋根用ソーラーパネル取付装置は、一対（二個）のルーフボルト10により、折板屋根１上に強固に固定可能であると共に、ルーフボルト10は、新設，既設を問わず折板屋根１に容易に固定可能であり、しかも折板屋根１の自由な位置に固定可能であるので、様々なソーラーパネル６の設置レイアウトに対応可能である。
【００２４】
次いで、パネル支持体８を元の状態に戻し（挿通部４並びにルーフボルト10をパネル支持体８で覆い隠し）、パネル支持体８の支持部７上にソーラーパネル６を支持して取付固定可能である。
【００２５】
本発明の場合、元々止水構造（パッキン）を具備するルーフボルト10が固定具２として採用されているので、折板屋根１の止水対策が不要となる。
【００２６】
また、ルーフボルト10は、折板屋根１上にあっても外観上違和感がなく、従って、ソーラーパネル６を折板屋根１上から撤去したい場合には、ルーフボルト10は残してソーラーパネル６と支持金具３を撤去するだけで良い。そして、撤去後の孔埋め作業や止水対策等は基本的に不要であり、パッキン等の劣化が大きく止水対策が必要な場合であっても簡単な止水施工で足りることとなる。
【００２７】
・請求項３記載の発明
先ず、折板屋根１上の軒側端部に支持金具３を配設し、次いで、例えばこの支持金具３のパネル支持体８をベース体５に対し折板屋根１の棟方向にスライド移動させると、このパネル支持体８によって覆い隠されていたベース体５の軒側配設部位の挿通孔４が露出し、この露出する軒側の挿通孔４に固定具２を挿通してこの固定具２でベース体５（支持金具３）を折板屋根１に固定できる。
【００２８】
次いで、支持金具３のパネル支持体８を起動回動移動させると、このパネル支持体８によって覆い隠されていたベース体５の棟側配設部位の挿通孔４が露出し、この露出する棟側の挿通孔４に固定具２を挿通してこの固定具２でベース体５（支持金具３）を折板屋根１に固定できる。
【００２９】
従って、本発明の折板屋根用ソーラーパネル取付装置は、二個の固定具２により、折板屋根１上に強固に固定可能であると共に、新設，既設を問わず折板屋根１に容易に固定可能であり、しかも折板屋根１の自由な位置に固定可能であるので、様々なソーラーパネル６の設置レイアウトに対応可能である。
【００３０】
なお、パネル支持体８を起動回動移動させて棟側の挿通孔４に挿通した固定具２でベース体５を折板屋根１に固定してから、パネル支持体８を棟側にスライド移動させて軒側の挿通孔４に挿通した固定具２でベース体５を折板屋根１に固定するようにしても良い。
【００３１】
次いで、パネル支持体８を元の状態に戻し（挿通部４並びに固定具２をパネル支持体８で覆い隠し）、パネル支持体８の支持部７上にソーラーパネル６を支持して取付固定可能である。
【００３２】
この際、本発明は、パネル支持体８がベース体５に対し折板屋根１の棟方向にのみスライド移動可能であって、軒方向にはスライド移動不能であるので、ソーラーパネル６がパネル支持体８と共に軒方向へ必要以上に移動してしまうことはなく、折板屋根１の軒側端部でソーラーパネル６を安定的に取付固定可能である。
【００３３】
・請求項４記載の発明
本発明の支持金具３は、ベース体５の二箇所に長孔形状のガイド孔12が設けられ、このガイド孔12と連通させる長孔形状の合わせ孔13がパネル支持体８の二箇所に設けられ、この各ガイド孔12と各合わせ孔13とを連通させた二箇所の連通孔部に夫々ガイドボルト14が貫通配設されて、このガイドボルト14に対しガイド孔12と合わせ孔13とが移動可能な範囲内でベース体５に対しパネル支持体８が折板屋根１の軒方向と棟方向とにスライド移動可能に構成されていると共に、この二箇所のガイドボルト14の締付若しくは二箇所のガイドボルト14に螺着した締付ナット19の締付によりベース体５に対しパネル支持体８がスライド移動不能となるように構成されている。
【００３４】
先ず、折板屋根１上に支持金具３を配設し、次いで、例えばこの支持金具３のパネル支持体８をベース体５に対し折板屋根１の棟方向にスライド移動させると、このパネル支持体８によって覆い隠されていたベース体５の軒側配設部位の挿通孔４が露出し、この露出する軒側の挿通孔４に固定具２を挿通してこの固定具２でベース体５（支持金具３）を折板屋根１に固定できる。
【００３５】
次いで、支持金具３のパネル支持体８をベース体５に対し折板屋根１の軒方向へスライド移動させると、このパネル支持体８によって覆い隠されていたベース体５の棟側配設部位の挿通孔４が露出し、この露出する棟側の挿通孔４に固定具２を挿通してこの固定具２でベース体５（支持金具３）を折板屋根１に固定できる。
【００３６】
従って、本発明の折板屋根用ソーラーパネル取付装置は、二個の固定具２により、折板屋根１上に強固に固定可能であると共に、新設，既設を問わず折板屋根１に容易に固定可能であり、しかも折板屋根１の自由な位置に固定可能であるので、様々なソーラーパネル６の設置レイアウトに対応可能である。
【００３７】
なお、パネル支持体８を軒方向へスライド移動させて棟側の挿通孔４に挿通した固定具２でベース体５を折板屋根１に固定してから、パネル支持体８を棟方向へスライド移動させて軒側の挿通孔４に挿通した固定具２でベース体５を折板屋根１に固定するようにしても良い。
【００３８】
次いで、パネル支持体８を元の状態に戻し（挿通部４並びに固定具２をパネル支持体８で覆い隠し）、二箇所の前記ガイドボルト14の締付若しくは二箇所のガイドボルト14に螺着した前記締付ナット19の締付によりベース体５に対しパネル支持体８をスライド移動不能とした後、パネル支持体８の支持部７上にソーラーパネル６を支持して取付固定可能である。
【００３９】
この際、本発明は、パネル支持体８が折板屋根１の棟方向と軒方向の両方向にスライド移動することによって固定具２による固定が可能となる構成であるものの、上記した二箇所の締付によってパネル支持体８をベース体５に対して強固なスライド移動不能状態とできるので、ソーラーパネル６がパネル支持体８と共に軒方向や棟方向へ必要以上に移動してしまうことはなく、ソーラーパネル６を安定的に取付固定可能である。
【実施例１】
【００４０】
本発明の具体的な実施例１について図１〜図８に基づいて説明する。尚、この実施例１は、請求項１及び請求項３記載の発明に属するものである。
【００４１】
本実施例は、重ね式折板屋根１の軒側端部に固定される折板屋根用ソーラーパネル取付装置に適用した場合であって、折板屋根１に固定可能な固定具２と、この固定具２により折板屋根１上に固定される支持金具３とを具備している。
【００４２】
本実施例の固定具２は、例えば二枚の折板屋根材を重ねて固定することに用いられる既存のルーフボルト10が採用されている。
【００４３】
このルーフボルト10について説明すると、図１に示すように芯ボルト９の先端側に拡開スリーブ20とこの拡開スリーブ20を拡開するカラー21とが被嵌され、このカラー21より芯ボルト９の基端側にパッキン付座金22が被嵌され、このパッキン付座金22より芯ボルト９の基端側にナット23が螺着された構成である。
【００４４】
本実施例では、このルーフボルト10の先端部を下向きにして重ね式折板屋根１の山部の平坦頂面に形成した下孔24に挿入し、芯ボルト９の上部（基端）を回り止め状態に固定しながらナット23を回転操作することにより、拡開スリーブ20をカラーによって拡開させ、この拡開した拡開スリーブ20とパッキン付座金22との間に折板屋根１を挟み込むことにより折板屋根１に対し固定して使用する（図４参照）。
【００４５】
本実施例の支持金具３は、前記ルーフボルト10（固定具２）の芯ボルト９の上部を挿通可能な挿通孔４が設けられているベース体５と、この挿通孔４を覆い隠すようにしてベース体５上に配設され上部にソーラーパネル６を支持可能な支持部７が設けられているパネル支持体８とから構成されている。
【００４６】
ベース体５は、金属製であって、図１，図２に示すように、底板部15の長手方向の両端に、立上がり板部16が立設状態に連設する断面コ字状体に構成（一体成形）されていると共に、底板部15と立上がり板部16とが折板屋根１の勾配方向に沿った長さを有する形状に形成されている。以下、本実施例では、このベース体５の長さ方向を支持金具３の前後方向と定めて説明する。
【００４７】
また、このベース体５の底板部15には、一対の前記ルーフボルト10の芯ボルト９の上部を挿通可能な一対の丸孔状の前記挿通孔４が軒側（前側）配設部位と棟側（後側）配設部位とに設けられ、この一対の挿通孔４は、軒側配設部位のそれが前後方向に長さを有する長孔形状に形成され、棟側配設部位のそれが左右方向に長さを有する長孔形状に形成されていて、この異なる方向に長さを有する一対の挿通孔４が、前記ルーフボルト10の前記折板屋根１に対する固定位置誤差を吸収しつつ芯ボルト９上部を挿通可能となるように構成されている。
【００４８】
また、このベース体５の左右両側の立上がり板部16には、この立上がり板部16の長さ方向に沿った長孔形状（前後方向に長さを有する孔形状）のガイド孔12が貫通形成されていると共に、このガイド孔12は、立上がり板部16の前後方向中ほどから棟側（後側）に至る範囲に形成されている。
【００４９】
また、この立上がり板部16には、前記支持部７上に取付支持するソーラーパネル６の並設間隔を作業者に報知する「２０ｍｍ」，「４０ｍｍ」の表示文字とともにその間隔指示線が刻設されている。
【００５０】
パネル支持体８は、金属製であって、図１，図２に示すように、前後方向に長さを有する天板部17の左右両端に、垂下板部18が垂設状態に連設する断面コ字状体に構成（一体成形）されている。
【００５１】
換言すると、このパネル支持体８は、前記ベース体５と略上下対称形状に形成されており、さらに左右の垂下板部18の対向間隔が、前記左右の立上がり板部16の対向間隔よりやや小さく設定されていて、左右の垂下板部18と左右の立上がり板部16同士を隣接させて（重ね合せて）ベース体５上にパネル支持体８を嵌合状態で装着可能に構成されている（図１参照）。
【００５２】
また、前記天板部17の上面が前記支持部７として構成されていると共に、この天板部17の中心部には、ボルト孔25を介して取付ボルト26が取付ナット27の締付により立設状態に固定されている。
【００５３】
また、この天板部17の上面には、折板屋根１上での支持金具３の固定向きを作業者に報知する「軒」，「棟」の表示文字とともに矢印が刻設されている。
【００５４】
また、左右両側の前記垂下板部18には、ベース体５上にパネル支持体８を嵌合状態で装着した際に、前記ガイド孔12と連通する長孔形状の合わせ孔13が貫通形成されていると共に、この合わせ孔13は、垂下板部18の前後方向中ほどから軒側（前側）に至る範囲に形成されている。
【００５５】
そして、ベース体５上にパネル支持体８を嵌合状態で装着した際、支持金具３の左右二箇所に存するガイド孔12と合わせ孔13の連通孔部に一本のガイドボルト14が貫通配設され、このガイドボルト14の先端に締付ナット19を螺着することにより、ガイドボルト14の連通孔部からの挿脱が防止されると共に、ベース体５とパネル支持体８とが分離不能状態となるように構成されている。
【００５６】
また、本実施例の支持金具３は、パネル支持体８が、ベース体５に対し折板屋根１の棟方向にのみスライド移動可能且つ起伏回動移動可能に設けられていて、このパネル支持体８を折板屋根１の棟方向にスライド移動させると、ベース体５の軒側配設部位の前記挿通孔４が露出すると共に、パネル支持体８を起動回動移動させると、ベース体５の棟側配設部位の前記挿通孔４が露出するように構成されている。
【００５７】
具体的には、前記ベース体５の底板部５と左右の立上がり板部16との連設角部内側に、このベース体５の前後長さ方向に沿ってベース体５の前後幅いっぱいにレール突起28が一体的に設けられ、このレール突起28上を前記パネル支持体８の左右の垂下板部18の下端が摺動することによりベース体５に対しパネル支持体８が水平状態を維持しながら（ベース体５とパネル支持体８とが平行関係を維持しながら）スライド移動可能に設けられている（図３参照）。
【００５８】
また、このベース体５に対するパネル支持体８のスライド移動範囲は、前記ガイドボルト14，前記ガイド孔12及び前記合わせ孔13によって決まる。即ち、前記ガイドボルト14に対しガイド孔12と合わせ孔13とが移動可能な範囲内でベース体５に対しパネル支持体８がスライド移動可能に構成されており、本実施例では、ガイド孔12と合わせ孔13の形成位置及び形成範囲を上記のように構成したことで、ベース体５の前後位置とパネル支持体８の前後位置とが合致した状態から、ベース体５に対しパネル支持体８が棟方向でのみスライド往復移動可能となるように構成されている（図３参照）。
【００５９】
また、パネル支持体８は、その垂下板部18の下縁の軒側端部が傾斜下縁29に形成されており、図３に示すように、前記合わせ孔13の軒側端部に前記ガイドボルト14を位置させると、このガイドボルト14を支点としてパネル支持体８の棟側を起動させた際に前記傾斜下縁29がレール突起28を逃げることとなり、これによりパネル支持体８を起動回動移動させることが可能となるように構成されている。
【００６０】
また、このようにベース体５に対しパネル支持体８がスライド移動可能且つ起伏回動移動可能に構成されているが、ガイドボルト14に螺着した前記締付ナット19を締付けることにより、ベース体５に対しパネル支持体８がスライド移動不能且つ起伏回動移動不能となる状態を維持できるように構成されている。
【００６１】
次に、上記のように構成した本実施例の折板屋根用ソーラーパネル取付装置を用いたソーラーパネル６の取付方法を説明する。
【００６２】
先ず、重ね式折板屋根１の軒側端部の山部の平坦頂面上に、一対のルーフボルト10を、支持金具３のベース体５に設けられている前後一対の挿通孔４の位置に対応させた配置で固定する（図４参照）。
【００６３】
次いで、この折板屋根１に固定された一対のルーフボルト10の芯ボルト９の上部を、ベース体５の一対の挿通孔４に挿通することで、ルーフボルト10の上方にベース体５（支持金具３）を配設する（図５参照）。
【００６４】
次いで、例えばこの一対の挿通孔４を覆い隠すようにしてベース体５上に配設されているパネル支持体８を、ベース体５に対し折板屋根１の棟方向にその移動限位置までスライド移動させると、このパネル支持体８によって覆い隠されていたベース体５の軒側配設部位の挿通孔４とこの挿通孔４に挿通されているルーフボルト10の芯ボルト９上部が露出するので（図６参照）、この露出する芯ボルト９上部に固定ナット11を螺着して締め付けることで、軒側のルーフボルト10に前記ベース体５を固定する。
【００６５】
次いで、支持金具３のパネル支持体８を起動回動移動させると、このパネル支持体８によって覆い隠されていたベース体５の棟側配設部位の挿通孔４とこの挿通孔４に挿通されているルーフボルト10の芯ボルト９上部が露出するので（図７参照）、この露出する芯ボルト９上部に固定ナット11を螺着して締め付けることで、棟側のルーフボルト10に前記ベース体５を固定する。
【００６６】
このようにして、前後一対（二個）のルーフボルト10を介して折板屋根１上に支持金具３が強固に固定されることになる。
【００６７】
次いで、パネル支持体８を元の状態（挿通部４並びにルーフボルト10がパネル支持体８で覆い隠される図５の状態）に戻し、パネル支持体８の棟側の支持部７上にソーラーパネル６の軒側端部（金属フレーム部）を支持し（ソーラーパネル６の棟側端部は例えば後述する実施例２の支持金具３の支持部７で支持し）、このソーラーパネル６の上方から前記取付ボルト27に一枚押え込み用の押え込み金具30を押え込みナット31と共に装着し、押え込みナット31の締付操作により押え込み金具30でソーラーパネル６（の軒側端部）を上方から押え込み固定する（図８参照）。
【実施例２】
【００６８】
本発明の具体的な実施例２について図９〜図１３に基づいて説明する。尚、この実施例２は、請求項１及び請求項４記載の発明に属するものである。
【００６９】
本実施例は、前記実施例１と併用されるもので、折板屋根１の軒側端部以外の箇所での使用に好適な折板屋根用ソーラーパネル取付装置である。
【００７０】
具体的には、支持金具３の構成が前記実施例１とは異なる。
【００７１】
本実施例の支持金具３は、図９に示すように、前記パネル支持体８の合わせ孔13が、左右両側の垂下板部18の前後方向中ほどから棟側（後側）に至る範囲に形成されている。
【００７２】
従って、合わせ孔13の形成位置及び形成範囲をこのように構成したことより、本実施例では、パネル支持体８が、ベース体５に対し折板屋根１の棟方向だけでなく、軒方向にもスライド移動可能となるように構成されている。
【００７３】
また、本実施例のパネル支持体８は、その垂下板部18の下縁の棟側端部が傾斜下縁29に形成されていて、実施例１と同様にパネル支持体８を起動回動移動させることでも挿通孔４を露出させることが可能に構成されているが、後述するようにスライド移動させるだけでも一対の挿通孔４の双方を露出させることが可能である。尚、本実施例のパネル支持体８は、実施例１のパネル支持体８の前後向きを１８０度反転させただけの共通部品を用いた場合を示している。
【００７４】
また、本実施例では、ベース体５上にパネル支持体８を嵌合状態で装着した際、支持金具３の左右二箇所に存するガイド孔12と合わせ孔13の連通孔部に、夫々一本ずつ短めのガイドボルト14が貫通配設され、この各ガイドボルト14の先端に締付ナット19を螺着することにより、各ガイドボルト14の連通孔部からの挿脱が防止されると共に、ベース体５とパネル支持体８とが分離不能状態となるように構成され、さらに左右二箇所のガイドボルト14と締付ナット19の締付により、ベース体５に対しパネル支持体８がスライド移動不能状態となるように構成されている。
【００７５】
従って、このように構成した本実施例によれば、折板屋根１に固定された一対のルーフボルト10の芯ボルト９の上部を、ベース体５の一対の挿通孔４に挿通することでルーフボルト10の上方にベース体５（支持金具３）を配設（図１０参照）した後、例えばこの一対の挿通孔４を覆い隠すようにしてベース体５上に配設されているパネル支持体８をベース体５に対し折板屋根１の棟方向にその移動限位置までスライド移動させると、このパネル支持体８によって覆い隠されていたベース体５の軒側配設部位の挿通孔４とこの挿通孔４に挿通されているルーフボルト10の芯ボルト９上部が露出するので（図１１参照）、この露出する芯ボルト９上部に固定ナット11を螺着して締め付けることで、軒側のルーフボルト10に前記ベース体５を固定でき、次いで、支持金具３のパネル支持体８をベース体５に対し折板屋根１の軒方向にその移動限位置までスライド移動させると、このパネル支持体８によって覆い隠されていたベース体５の棟側配設部位の挿通孔４とこの挿通孔４に挿通されているルーフボルト10の芯ボルト９上部が露出するので（図１２参照）、この露出する芯ボルト９上部に固定ナット11を螺着して締め付けることで、棟側のルーフボルト10に前記ベース体５を固定できる。
【００７６】
次いで、パネル支持体８を元の状態（挿通部４並びにルーフボルト10がパネル支持体８で覆い隠される図１０の状態）に戻し、左右二箇所の前記ガイドボルト14と前記締付ナット19の締付によりベース体５に対しパネル支持体８をスライド移動不能とした後、パネル支持体８の軒側と棟側の支持部７上に二枚のソーラーパネル６の棟側端部と軒側端部を支持し、この二枚のソーラーパネル６の上方から前記取付ボルト27に二枚押え込み用の押え込み金具32を押え込みナット31と共に装着し、押え込みナット31の締付操作により押え込み金具32で、ソーラーパネル６（の軒側端部）を上方から押え込み固定できる（図１３参照）。
【００７７】
また、この際、パネル支持体８を前後方向にスライド移動調整することにより、多少の取付誤差を吸収することも可能である。
【００７８】
また、本実施例のガイド支持体８は、前記天面部17の上面（支持部７）に、ソーラーパネル６端部の金属フレーム部に接触することでこの金属フレーム部と電気的に接続する接触突起33が設けられ、支持部７上に並設状態に支持したソーラーパネル６同士を、この接触突起33の接触により簡単にアース接続できるように構成されている。
【００７９】
他の構成は、前記実施例１と同様である。
【実施例３】
【００８０】
本発明の具体的な実施例３について図１４に基づいて説明する。尚、この実施例３は、請求項３記載の発明に属するものである。
【００８１】
本実施例は、前記実施例１において、異なる固定具２が採用されている場合である。
【００８２】
具体的には、本実施例では、固定具２として折板屋根１に事前に下孔を形成することなく直接打込むことが可能な、株式会社九飛勢螺製のリベット（商品名：ピアス（登録商標）リベット）34が採用されている場合である。尚、このリベット34を実施例２の固定具２として採用しても良い（この場合は、請求項４記載の発明に属する実施例となる。）。
【００８３】
また、このリベット34の径に合せて、本実施例では、前記挿通孔４の孔径が実施例１のそれより小径に形成されていると共に、止水対策として、ベース体５の底板部15の底面に板状のパッキン35が付設されている。
【００８４】
尚、図示していないが、固定具２としてウルトラタイト（登録商標：サンコーテクノ株式会社製）のような高性能タイプのルーフボルトが採用されていても良いし、他の固定具２が採用されていても良い。
【００８５】
他の構成は、前記実施例１と同様である。
【００８６】
尚、本発明は、実施例１〜３に限られるものではなく、各構成要件の具体的構成は適宜設計し得るものである。
【符号の説明】
【００８７】
１  折板屋根
２  固定具
３  支持金具
４  挿通孔
５  ベース体
６  ソーラーパネル
７  支持部
８  パネル支持体
９  芯ボルト
10  ルーフボルト
11  固定ナット
12  ガイド孔
13  合わせ孔
14  ガイドボルト
15  底板部
16  立上がり板部
17  天板部
18  垂下板部
19  締付ナット
【図１】
2019090225.tif 000003
【図２】
2019090225.tif 000004
【図３】
2019090225.tif 000005
【図４】
2019090225.tif 000006
【図５】
2019090225.tif 000007
【図６】
2019090225.tif 000008
【図７】
2019090225.tif 000009
【図８】
2019090225.tif 000010
【図９】
2019090225.tif 000011
【図１０】
2019090225.tif 000012
【図１１】
2019090225.tif 000013
【図１２】
2019090225.tif 000014
【図１３】
2019090225.tif 000015
【図１４】
2019090225.tif 000016